(57)【要約】【課題】簡単な構成でありながら、音場効果を改善する音場設定が容易にできる音場再生装置を提供する。【解決手段】Ｌ−ｃｈスピーカ２と、Ｒ−ｃｈスピーカ３と、これらのスピーカに再生信号を供給する音場再生機器１と、音場再生機器１をリモコン制御するリモコン４を備えた音場再生装置において、リモコン４の音場設定キー１２の操作に応じてＬ−ｃｈスピーカ２及びＲ−ｃｈスピーカ３から発せられた各トーン信号がリモコン４へ到達する到達時間差と前記各トーン信号がリモコン４へ到達したときの音量差を測定するために、音波検出器６、増幅器７、１ＫＨｚバンドパスフィルタ８、２ＫＨｚバンドパスフィルタ９、ＤＣ整流器１０ａ、１０ｂ、リモコンマイコン１１から成る測定手段をリモコン４に設け、測定された到達時間差と音量差に基づいて、音場再生機器１からＬ−ｃｈスピーカ２及びＲ−ｃｈスピーカ３に供給される再生信号の遅延と音量調整が行われる。【選択図】      図３
2004356958.tif 000002
【特許請求の範囲】
【請求項１】
複数のスピーカと、該複数のスピーカに供給される再生信号を処理する信号処理手段を有する音場再生機器と、該音場再生機器をリモコン制御するリモコンを備えた音場再生装置において、
前記リモコンに、該リモコンの音場設定操作に応じて前記複数のスピーカから発せられた所定の各再生音が該リモコンへ到達する到達時間差を測定する測定手段と、該測定手段により測定された到達時間差に基づく音場設定信号を前記音場再生機器へ送信する送信手段を設け、
前記音場再生機器に、前記リモコンから送信される音場設定信号を受信する受信手段と、前記複数のスピーカに供給される各再生信号が前記受信手段で受信した音場設定信号に基づいてそれぞれ遅延されるように前記信号処理手段を制御する本体制御手段を設けたことを特徴とする音場再生装置。
【請求項２】
複数のスピーカと、該複数のスピーカに供給される再生信号の音量を調整する音量調整手段を有する音場再生機器と、該音場再生機器をリモコン制御するリモコンを備えた音場再生装置において、
前記リモコンに、該リモコンの音場設定操作に応じて前記複数のスピーカの各スピーカから発せられた所定の各再生音が該リモコンへ到達したときの音量差を測定する測定手段と、該測定手段により測定された音量差に基づく音場設定信号を前記音場再生機器へ送信する送信手段を設け、
前記音場再生機器に、前記リモコンから送信される音場設定信号を受信する受信手段と、前記複数のスピーカに供給される各再生信号の音量が前記受信手段で受信した音場設定信号に基づいてそれぞれ調整されるように前記音量調整手段を制御する本体制御手段を設けたことを特徴とする音場再生装置。
【請求項３】
複数のスピーカと、該複数のスピーカに供給される再生信号を処理する信号処理手段と前記再生信号の音量を調整する音量調整手段を有する音場再生機器と、該音場再生機器をリモコン制御するリモコンを備えた音場再生装置において、
前記リモコンに、該リモコンの音場設定操作に応じて前記複数のスピーカから発せられた所定の各再生音が該リモコンへ到達する到達時間差と前記所定の各再生音が該リモコンへ到達したときの音量差を測定する測定手段と、該測定手段により測定された到達時間差と音量差に基づく音場設定信号を前記音場再生機器へ送信する送信手段を設け、
前記音場再生機器に、前記リモコンから送信される音場設定信号を受信する受信手段と、前記複数のスピーカに供給される各再生信号が前記受信手段で受信した音場設定信号に基づいてそれぞれ遅延されるように前記信号処理手段を制御するとともに前記各再生信号の音量が前記音場設定信号に基づいてそれぞれ調整されるように前記音量調整手段を制御する本体制御手段を設けたことを特徴とする音場再生装置。
【請求項４】
前記所定の各再生音は前記複数のスピーカの各スピーカ毎に異なった所定周波数の再生音であり、前記測定手段は、音波を検出する音波検出器と、該音波検出器の検出信号を前記所定周波数毎に分離する分離回路と、該分離回路からの前記所定周波数毎の検出信号を整流する整流回路と、該整流回路からの前記所定周波数毎の検出信号が整流された各整流出力の発生した時間差から前記到達時間差を計測し前記各整流出力をＡＤ変換して演算処理することにより前記音量差を算出するリモコン制御部から成ることを特徴とする請求項３に記載の音場再生装置。
【請求項５】
前記リモコンの前記送信手段は、前記リモコンの音場設定操作がされたときに前記音場再生機器を音場設定モードに切り替えるモード切替信号を送信し、前記測定手段による測定が終了したときに前記音場設定信号を送信し、前記音場再生機器の前記本体制御手段は、前記受信手段が前記モード切替信号を受信したときに前記複数のスピーカから前記所定の各再生音を発生させるように前記信号処理手段を制御し、前記受信手段が前記音場設定信号を受信したときに前記所定の各再生音の発生を停止するとともに受信した音場設定信号に基づいて前記信号処理手段と音量調整手段を制御することを特徴とする請求項３または請求項４に記載の音場再生装置。
【請求項６】
前記音場設定信号は、デジタルコードから成ることを特徴とする請求項１〜請求項５のいずれかに記載の音場再生装置。
【発明の詳細な説明】
【０００１】
【発明の属する技術分野】
本発明は、音場再生装置に関するものであり、特に、音場効果を改善するための音場設定を容易に行うことのできる音場再生装置に関するものである。
【０００２】
【従来の技術】
テレビジョン受像器、ビデオテープレコーダ（ＶＴＲ）、オーディオ機器等の音場再生機器で再生された多チャンネルの再生信号を複数のスピーカから出力する音場再生装置には、各スピーカからの再生音を視聴するリスナー（視聴者）の位置によって音像分布がいずれかのスピーカの方に片寄らないように、各スピーカに供給される再生信号に所定のディレイタイム（遅延時間）を持たせるディレイ（遅延）手段を備えたものや、各スピーカに供給される再生信号に所定の音量バランスを持たせる音量バランス手段を備えたものがある。
【０００３】
このような各スピーカに供給される再生信号に所定のディレイタイムを持たせるディレイ手段を備えた音場再生装置においては、リスナーが予めリスナーから各スピーカー迄の距離を測定後、リモコンにより音場再生装置をディレイ設定状態にしてそれぞれのスピーカーに対しての距離を設定する方法が一般的である。即ち、これらの設定された距離に応じたディレイタイムだけ、音場再生装置のディレイ手段により各スピーカに供給される各再生信号がディレイされる。
【０００４】
図８は、従来の音場再生装置におけるディレイタイム設定手順を示すフローチャートである。ここでは説明を簡素化する為に、Ｌチャンネル（Ｌ−ｃｈ）とＲチャンネル（Ｒ−ｃｈ）の２個のスピーカを有する音場再生装置のディレイタイム設定手順を示している。先ず、音場再生装置をディレイ設定状態にした後（ステップＳ１）、例えば、Ｌ−ｃｈスピーカを選択（ステップＳ２）、決定後（ステップＳ３）、リスナーからＬ−ｃｈスピーカ迄の距離を入力し（ステップＳ４）、決定する（ステップＳ５）。次に、Ｒ−ｃｈスピーカを選択（ステップＳ６）、決定後（ステップＳ７）、リスナーからＲ−ｃｈスピーカ迄の距離を入力し（ステップＳ８）、決定する（ステップＳ９）。そして、音場再生装置のディレイ設定状態を解除する（ステップＳ１０）。
【０００５】
また、各スピーカに供給される再生信号に所定の音量バランスを持たせるための音量バランス手段を備えた音場再生装置において、リスニングポジション（視聴位置）での音量バランスを調整する方法としては、リスナーの聴感判断でリモコンにより音量バランス調整する方法が一般的であった。
【０００６】
また、リモートコントロール送信器から左右のスピーカに設けた音波センサーに伝わる音波の到達時間差と音量差を検知回路で検知し、制御回路によって遅延回路とバランスコントロール回路を制御して、左右のステレオ信号間に上記到達時間差と音量差を打ち消す遅延と音量差を与えることによって、音像分布が左右どちらかのスピーカに片寄らないようにしたものもある（例えば、特許文献１参照）。
【０００７】
【特許文献１】
特開平４−２６１３００号公報
【０００８】
【発明が解決しようとする課題】
しかしながら、従来の一般的な音場再生装置は、リスナーから各スピーカの距離が正確に設定されていなければ本来の音場効果は得られないので、リスナーから各スピーカまでの距離を正確に測定し、また、上述のような手順でこれらの距離を正確に入力、設定する必要があるが、これらの作業は手間がかかり面倒であるという問題があった。また、距離測定の手間を省くため、リスナーは往往にして目視距離を設定するので、再生された音場に誤差が生じるという問題があった。
【０００９】
また、リスナーの聴感判断だけで各スピーカの音量バランスの調整を行っても、リスナーは本来の音場が正確に再現しているかどうかの判断が困難なので、調整を繰り返す等の混乱を生じることがあった。
【００１０】
また、特許文献１に記載の従来技術では、スピーカの数だけ音波センサーが必要であり、また、これら音波センサーの数が増えると、音波センサーの出力を受ける他の検知回路、制御回路等の回路規模が大きくなるという問題があった。
【００１１】
本発明は、上記の点に鑑み、簡単な構成でありながら、音場効果を改善する音場設定が容易にできる音場再生装置を提供することを目的とする。
【００１２】
【課題を解決するための手段】
上記目的を達成するために本発明は、複数のスピーカと、該複数のスピーカに供給される再生信号を処理する信号処理手段を有する音場再生機器と、該音場再生機器をリモコン制御するリモコンを備えた音場再生装置において、前記リモコンに、該リモコンの音場設定操作に応じて前記複数のスピーカから発せられた所定の各再生音が該リモコンへ到達する到達時間差を測定する測定手段と、該測定手段により測定された到達時間差に基づく音場設定信号を前記音場再生機器へ送信する送信手段を設け、前記音場再生機器に、前記リモコンから送信される音場設定信号を受信する受信手段と、前記複数のスピーカに供給される各再生信号が前記受信手段で受信した音場設定信号に基づいてそれぞれ遅延されるように前記信号処理手段を制御する本体制御手段を設けたものである。
【００１３】
このようにすると、前記複数のスピーカの各スピーカと前記リモコンを操作するリスナー（視聴者）との距離が不均衡な場合であっても、より近い距離にあるスピーカからの再生音を距離の差に応じた遅延時間だけ遅延させることにより、各スピーカからの再生音を同時にリスナーに到達させることができ、リスナーに片寄りのない音像を定位させることができる。
【００１４】
また、例えば、複数のスピーカと、該複数のスピーカに供給される再生信号の音量を調整する音量調整手段を有する音場再生機器と、該音場再生機器をリモコン制御するリモコンを備えた音場再生装置において、前記リモコンに、該リモコンの音場設定操作に応じて前記複数のスピーカの各スピーカから発せられた所定の各再生音が該リモコンへ到達したときの音量差を測定する測定手段と、該測定手段により測定された音量差に基づく音場設定信号を前記音場再生機器へ送信する送信手段を設け、前記音場再生機器に、前記リモコンから送信される音場設定信号を受信する受信手段と、前記複数のスピーカに供給される各再生信号の音量が前記受信手段で受信した音場設定信号に基づいてそれぞれ調整されるように前記音量調整手段を制御する本体制御手段を設けると良い。
【００１５】
このようにすると、前記複数のスピーカの各スピーカと前記リモコンを操作するリスナーとの距離が不均衡な場合であっても、より近い距離にあるスピーカからの再生音の音量を距離の差に応じて小さくする、または、より遠い距離にあるスピーカからの再生音の音量を距離の差に応じて大きくすることにより、各スピーカからの再生音の音量が等しい大きさでリスナーに伝わるようにすることができ、リスナーに片寄りのない音像を定位させることができる。
【００１６】
また、例えば、複数のスピーカと、該複数のスピーカに供給される再生信号を処理する信号処理手段と前記再生信号の音量を調整する音量調整手段を有する音場再生機器と、該音場再生機器をリモコン制御するリモコンを備えた音場再生装置において、前記リモコンに、該リモコンの音場設定操作に応じて前記複数のスピーカから発せられた所定の各再生音が該リモコンへ到達する到達時間差と前記所定の各再生音が該リモコンへ到達したときの音量差を測定する測定手段と、該測定手段により測定された到達時間差と音量差に基づく音場設定信号を前記音場再生機器へ送信する送信手段を設け、前記音場再生機器に、前記リモコンから送信される音場設定信号を受信する受信手段と、前記複数のスピーカに供給される各再生信号が前記受信手段で受信した音場設定信号に基づいてそれぞれ遅延されるように前記信号処理手段を制御するとともに前記各再生信号の音量が前記音場設定信号に基づいてそれぞれ調整されるように前記音量調整手段を制御する本体制御手段を設けると良い。
【００１７】
このようにすると、前記複数のスピーカの各スピーカと前記リモコンを操作するリスナーとの距離が不均衡な場合であっても、より近い距離にあるスピーカからの再生音を距離の差に応じた遅延時間だけ遅延させることにより、各スピーカからの再生音を同時にリスナーに到達させることができるとともに、より近い距離にあるスピーカからの再生音の音量を距離の差に応じて小さくする、または、より遠い距離にあるスピーカからの再生音の音量を距離の差に応じて大きくすることにより、各スピーカからの再生音の音量が等しい大きさでリスナーに伝わるようにすることができ、リスナーに片寄りのない音像を定位させることができる。
【００１８】
また、例えば、前記所定の各再生音は前記複数のスピーカの各スピーカ毎に異なった所定周波数の再生音であり、前記測定手段は、音波を検出する音波検出器と、該音波検出器の検出信号を前記所定周波数毎に分離する分離回路と、該分離回路からの前記所定周波数毎の検出信号を整流する整流回路と、該整流回路からの前記所定周波数毎の検出信号が整流された各整流出力の発生した時間差から前記到達時間差を計測し前記各整流出力をＡＤ変換して演算処理することにより前記音量差を算出するリモコン制御部から構成すると良い。
【００１９】
このようにすると、簡単な構成で各スピーカからの再生音を分離して各再生音の到達時間差及び音量差を測定することが容易にできる。
【００２０】
また、例えば、前記リモコンの前記送信手段は、前記リモコンの音場設定操作がされたときに前記音場再生機器を音場設定モードに切り替えるモード切替信号を送信し、前記測定手段による測定が終了したときに前記音場設定信号を送信し、前記音場再生機器の前記本体制御手段は、前記受信手段が前記モード切替信号を受信したときに前記複数のスピーカから前記所定の各再生音を発生させるように前記信号処理手段を制御し、前記受信手段が前記音場設定信号を受信したときに前記所定の各再生音の発生を停止するとともに受信した音場設定信号に基づいて前記信号処理手段と音量調整手段を制御すると良い。
【００２１】
このようにすると、前記複数のスピーカの各スピーカと前記リモコンを操作するリスナーとの距離が不均衡であることに起因する音場分布の片寄りを無くす、即ち、音場効果を改善するために行う音場設定を、前記リモコンの音場設定操作をするだけで行うことができる。
【００２２】
また、例えば、前記音場設定信号をデジタルコードで構成すると、デジタルデータで送受信することにより、送受信データの信頼性を高めることができ、また、送受信部の構成を簡素化できる。
【００２３】
【発明の実施の形態】
以下に、本発明の実施形態を図面を参照して説明する。図１は、本発明の実施形態の音場再生装置全体の概要を示す斜視図である。尚、本発明は２個以上のスピーカを有する音場再生装置にも適応可能であるが、説明を簡素化するために、Ｌチャンネル（Ｌ−ｃｈ）とＲチャンネル（Ｒ−ｃｈ）の２個のスピーカを有する音場再生装置に基づいて説明する。
【００２４】
図１に示す音場再生装置は、音場再生機器１と、音場再生機器１の左右にそれぞれ配置されたＬ−ｃｈスピーカボックス２、Ｒ−ｃｈスピーカボックス３と、音場再生機器１をリモコン制御するリモコン４から構成されている。音場再生機器１は、多チャンネルの再生信号を再生するとともに、再生された多チャンネル再生信号をＬ−ｃｈスピーカボックス２、Ｒ−ｃｈスピーカボックス３に供給する。そして、Ｌ−ｃｈスピーカボックス２、Ｒ−ｃｈスピーカボックス３から再生された再生音が出力され、リスナーは臨場感のある立体音声を楽しむことができる。また、リモコン４を操作することにより、視聴位置から移動せずに音量調整等を行うことができる。
【００２５】
図２は、図１に示す音場再生装置とリスナーとの位置関係を示す概略図である。図２において、図１と同一の部分には同一の符号を付し、その説明を省略する。音場再生機器１の左右に置かれたＬ−ｃｈスピーカボックス２とＲ−ｃｈスピーカボックス３が、音場再生機器１から不均等な距離の位置に配置され、リスナー（視聴者）５が音場再生機器１の正面に位置している。Ｌ１はリスナー５からＬ−ｃｈスピーカボックス２までの距離を示し、例えば、３．４ｍ離れている状況である。また、Ｌ２はリスナー５からＲ−ｃｈスピーカボックス３までの距離を示し、例えば、４．４２ｍ離れている状況である。
【００２６】
このような状況下では、Ｌ−ｃｈスピーカボックス２からの再生音は、Ｒ−ｃｈスピーカボックス３からの再生音よりも早くリスナー５に到達し、音量レベルも大きくなる。即ち、音場分布がＬ−ｃｈスピーカボックス２の方に片寄ることになる。そこで、本来の音場効果を体験するためには、Ｌ−ｃｈスピーカボックス２の再生音を距離Ｌ１とＬ２との差に応じたディレイタイム（遅延時間）だけディレイ（遅延）させる必要がある。また、レベルに関しては、Ｌ−ｃｈスピーカボックス２の再生音レベルを下げるか、または、Ｒ−ｃｈスピーカボックス３の再生音レベルを上げて左右のスピーカボックスの音量バランスを調整する必要がある。
【００２７】
図３は、図１に示す音場再生装置のリモコン４の内部構成を示すブロック図である。リモコン４は、リモコン４全体を制御するリモコンマイコン（リモコン制御部）１１と、リモコンマイコン１１に接続された音場設定キー１２と、同じくリモコンマイコン１１に接続された複数のキーから成るその他の操作キー１２ａと、音場再生機器１に信号を送信するために赤外線を出力する赤外線ＬＥＤ（送信手段）１４と、リモコンマイコン１１が出力するリモコンコードで赤外線ＬＥＤ１４を駆動するＬＥＤドライバー（送信手段）１３を備えている。リモコンマイコン１１は、音場設定キー１２及びその他のコントロールキー１２ａが操作されると、操作に応じたデジタルコードであるリモコンコードを出力し、そのリモコンコードがＬＥＤドライバー１３を介して赤外線ＬＥＤ１４から赤外線出力として音場再生機器１に送信される。そして、音場再生機器１では送信されたリモコンコードに応じた制御が行われる。尚、信号を伝達する方式として本実施例では赤外線を使用した方式を採用しているが、無線等を使用した他の信号伝達方式であっても良い。
【００２８】
また、リモコン４は、音波を検出する音波検出器６、検出信号増幅器７、１ＫＨｚバンドパスフィルタ（分離回路）８、２ＫＨｚバンドパスフィルタ（分離回路）９、ＤＣ整流器（整流回路）１０ａ、１０ｂを備えており、音波検出器６からの検出信号は検出信号増幅器７にて増幅後、１ＫＨｚバンドパスフィルタ８と２ＫＨｚバンドパスフィルタ９とで分離される。そして、１ＫＨｚバンドパスフィルタ８のフィルタ出力がＤＣ整流器１０ａにて整流され、２ＫＨｚバンドパスフィルタ９のフィルタ出力がＤＣ整流器１０ｂにて整流され、それぞれの整流器出力がマイコン１１の入力ポートにそれぞれ入力される。
【００２９】
図４は、図１に示す音場再生装置の音場再生機器１の内部構成を示すブロック図である。音場再生機器１は、音場再生機器１全体を制御する本体マイコン（本体制御手段）１８と、本体マイコン１８に接続されたリモコン受光子（受光手段）１５、複数の操作キーから成る本体コントロールキー１６、及び、表示部１７を備えている。本体マイコン１８は、リモコン受光子１５及び本体コントロールキー１６からの入力に応じて音場再生機器１をコントロールし、本体マイコン１８の各種動作における状態を表示部１７により表示する。
【００３０】
また、音場再生機器１は、再生信号のディレイ機能及びトーン信号発生機能を有する信号処理部（ＤＳＰ、信号処理手段）１９、ＲＡＭ、ＲＯＭ等から成る外部記憶部（ＲＡＭ／ＲＯＭ）２０、デジタル／アナログ変換を行うＤ／Ａ変換器（ＤＡＣ）２１、及び、再生音の音量、音質を調整する音量音質調整部（ＶＯＬＵＭＥ、音量調整手段）２２を備えており、マイコン１８はリモコン受光子１５及び本体コントロールキー１６のコントロールにより信号処理部１９、Ｄ／Ａ変換器２１、音量音質調整部２２を制御する。
【００３１】
通常の再生信号は、図示しない再生部で再生され信号処理部１９に入力される。そして、音場再生機器１の設定状態に応じて外部記憶部２０から信号処理フォーマットをロード後、信号処理部１９にて信号処理され、Ｄ／Ａ変換器２１でアナログ信号に変換される。そして、変換されたアナログ信号は音量音質調整部２２でＬチャンネルの再生信号とＲチャンネルの再生信号とに分離され、本体マイコンにより設定された音場設定値に基づいてそれぞれ音量、音質が調整された後、Ｌチャンネルの再生信号はプリアンプ部（Ｌ−ｃｈ）２３、パワーアンプ部（Ｌ−ｃｈ）２４、スピーカ端子部（Ｌ−ｃｈ）２５を経て、Ｌ−ｃｈスピーカボックス２内のスピーカ（Ｌ−ｃｈ）２６に出力される。一方、Ｒチャンネルの再生信号はプリアンプ部（Ｒ−ｃｈ）２７、パワーアンプ部（Ｒ−ｃｈ）２８、スピーカ端子部（Ｒ−ｃｈ）２９を経て、Ｒ−ｃｈスピーカボックス３内のスピーカ（Ｒ−ｃｈ）３０に出力される。
【００３２】
次に、このような構成の音場再生装置の音場設定動作を図６、図７を参照して説明する。図６はリモコン４の音場設定時の動作を示すフローチャートであり、図７は音場再生機器１の音場設定時の動作を示すフローチャートである。両方のフローチャートを並行して進めながら説明する。先ず、図６において、リモコンマイコン１１が音場設定キー１２が押されたことを検知すると（ステップＳ１１）、リスナー５の持ったリモコン４は音場設定モードになり（ステップＳ１２）、リモコンマイコン１１は音場再生機器１を音場設定モードに切り替えるためのモード切替リモコンコードを出力し、このモード切替リモコンコードがＬＥＤドライバー１３を介して赤外線ＬＥＤ１４から音場再生機器１に送信される（ステップＳ１３）。
【００３３】
一方、音場再生機器１の方は、図７において、先ず、本体マイコン１８がリモコン４から送信された上述のモード切替リモコンコードをリモコン受光子１５で受信したことを検知すると（ステップＳ２１）、音場再生機器１は通常再生モードから音場設定モードに切り替わり（ステップＳ２２）、音場再生機器１の本体マイコン１８は信号処理部１９を制御して通常の再生信号処理を停止する（ステップＳ２３）。
【００３４】
そして、本体マイコン１８は、信号処理部１９に既に設定されている現音場設定値（遅延時間、音量バランス値等）をクリアし（ステップＳ２４）、その後、信号処理部１９に予め設定されているレベルのトーン信号であって、Ｌチャンネルは１ＫＨｚ、Ｒチャンネルは２ＫＨｚのトーン信号を信号処理部１９から発生させる（ステップＳ２５）。そして、上述した音場再生機器１内部の再生信号伝達経路を経て、スピーカ（Ｌ−ｃｈ）２６から１ＫＨｚのトーン信号、スピーカ（Ｒ−ｃｈ）３０から２ＫＨｚのトーン信号が音波として同時に出力される。尚、出力されるＬチャンネルのトーン信号の再生音波とＲチャンネルのトーン信号の再生音波の音量レベルは、同じになるように制御されている。
【００３５】
次に、リモコン４の方は、図６に示すステップＳ１３にて音場再生機器１を音場設定モードにするモード切替リモコンコードを送信した後は、上述のスピーカ（Ｌ−ｃｈ）２６からの１ＫＨｚのトーン信号及びスピーカ（Ｒ−ｃｈ）３０からの２ＫＨｚのトーン信号を検出して、後述する測定方法によって２つのトーン信号の到達時間差（ディレイ）及び音量レベル差が測定できたかどうかを判定し（ステップＳ１４）、測定完了の場合は、測定した２つのトーン信号の到達時間差及び音量レベル差に基づいた音場設定リモコンコードを音場再生機器に送信し（ステップ１５）、その後、リモコン４の音場設定モードを解除してリモコン４の音場設定動作は終了する（ステップＳ１６）。
【００３６】
一方、ステップＳ１４において測定が完了していない場合、例えば、２つのトーン信号のいずれか、または、いずれも検出できていない場合には、１秒以上測定できない状態が継続しているかどうかを判定する（ステップＳ１７）。そして、１秒以内であれば測定状態を継続する（ステップＳ１４）が、１秒以上測定できない状態が継続した場合は、音場設定を中止するために、音場再生機器１の音場設定モードを解除するための音場設定中止リモコンコードを音場再生機器１に送信する（ステップＳ１８）。そして、リモコン４の音場設定モードを解除してリモコン４の音場設定動作は終了する（ステップＳ１６）。
【００３７】
次に、音場再生機器１の方は、図７に示すステップＳ２５にて、Ｌチャンネルは１ＫＨｚ、Ｒチャンネルは２ＫＨｚのトーン信号を信号処理部１９から発生させた後は、リモコン４からの音場設定リモコンコード、または、音場設定中止リモコンコードが入力されたか否かの判定状態になる（ステップＳ２６）。そして、いずれかのリモコンコードが入力された場合は、信号処理部１９を制御してＬ、Ｒチャンネル共、トーン信号の発生を停止させ（ステップＳ２７）、入力されたリモコンコードの判定に移る（ステップＳ２８）。また、ステップＳ２６でリモコンコードが入力されない場合は、時間計測状態に移行し（ステップＳ３３）、１秒以内であれば入力判定状態に戻る（ステップＳ２６）が、１秒以上継続した場合はＬ、Ｒチャンネル共、トーン信号の発生を停止させ（ステップＳ２７）、入力されたリモコンコードの判定に移る（ステップＳ２８）。
【００３８】
そして、ステップＳ２８で、入力されたリモコンコードが音場設定リモコンコードである場合は、この入力された音場設定リモコンコードに基づいた各チャンネルの再生信号の遅延時間を信号処理部１９に設定するとともに、各チャンネルの再生信号の音量バランス値を音量音質調整部２２に設定する（ステップＳ２９）。即ち、新たな音場設定値が設定されることになる。その後は音場設定モードを解除して通常再生モードに移行し、音場再生機器１の音場設定動作は終了する（ステップＳ３０）。
【００３９】
一方、ステップＳ２８で、入力されたリモコンコードが音場設定リモコンコードでない場合、即ち、入力されたリモコンコードが音場設定中止リモコンコードである場合、または、タイムオーバーでリモコンコードが入力されていない場合は、音場設定中止メッセージを表示部１７に表示し（ステップＳ３１）、一旦クリアした元の音場設定値を再度、信号処理部１９と音量音質調整部２２に設定する（ステップＳ３２）。そして、その後は音場設定モードを解除して通常再生モードに移行し、音場再生機器１の音場設定動作は終了する（ステップＳ３０）。
【００４０】
次に、上述のようにして行われる音場設定の具体例を図５を参照して説明する。図５は、音場再生装置の各部の信号波形を示す波形図であり、（ａ）はスピーカ（Ｌ−ｃｈ）２６から出力されるトーン信号を示し、（ｂ）はスピーカ（Ｒ−ｃｈ）３０から出力されるトーン信号を示している。また、（ｃ）は音波検出器６の検出信号を示し、（ｄ）は１ＫＨｚバンドパスフィルタ８のフィルタ出力を示し、（ｅ）は２ＫＨｚバンドパスフィルタ９のフィルタ出力を示している。そして、（ｆ）はＤＣ整流器１０ａの整流出力を示し、（ｇ）はＤＣ整流器１０ｂの整流出力を示している。また、（ｈ）はリモコン４から音場再生機器１に送信されるリモコンコードを示している。
【００４１】
図５において、リモコン４から出力されたモード切替リモコンコードが音場再生機器１で受信された時間Ｔ０のときに、スピーカ（Ｌ−ｃｈ）２６から１ＫＨｚのトーン信号とスピーカ（Ｒ−ｃｈ）３０から２ＫＨｚのトーン信号とが図５（ａ）、（ｂ）に示すように、同時に出力されている。尚、１ＫＨｚのトーン信号及び２ＫＨｚのトーン信号の音量レベルは同じになっている。
【００４２】
そして、時間Ｔ０で発せられたスピーカ（Ｌ−ｃｈ）２６からの１ＫＨｚのトーン信号は、図２に示したようにスピーカ（Ｌ−ｃｈ）２６がリスナー１から距離Ｌ１、即ち、３．４ｍ離れているので、音波の伝達速度を３４０ｍ／Ｓｅｃで計算すると、１０ｍＳ後の時間Ｔ１にリスナー１の持つリモコン４の音波検出器６に到達する。一方、同じく時間Ｔ０で発せられたスピーカ（Ｒ−ｃｈ）３０からの２ＫＨｚのトーン信号は、スピーカ（Ｒ−ｃｈ）３０がリスナー１から距離Ｌ２、即ち、４．４２ｍ離れているので、１３ｍＳ後の時間Ｔ２に音波検出器６に到達する。
【００４３】
このときの音波検出器６に到達した信号波形は、図５（ｃ）に示すようになる。即ち、時間Ｔ１に図５（ａ）に示すスピーカ（Ｌ−ｃｈ）２６の１ＫＨｚのトーン信号と相似の波形が発生し、更に、時間Ｔ１から３ｍＳ後の時間Ｔ２のときにスピーカ（Ｒ−ｃｈ）３０の２ＫＨｚのトーン信号が到達するので、到達した２つのトーン信号が合成された波形に変化している。この音波検出器６で検出した波形を１ＫＨｚバンドパスフィルタ８、２ＫＨｚバンドパスフィルタ９で分離したものが図５（ｄ）、（ｅ）に示す波形である。図５（ｅ）に示す到達した２ＫＨｚのトーン信号の方が、距離が遠いため、図５（ｄ）に示す到達した１ＫＨｚのトーン信号より３ｍＳ遅く到達し、また、より減衰してレベルが小さくなっている。
【００４４】
そして、１ＫＨｚバンドパスフィルタ８の出力がＤＣ整流器１０ａで整流され、図５（ｆ）に示す波形の整流出力が出力され、２ＫＨｚバンドパスフィルタ９の出力がＤＣ整流器１０ｂで整流され、図５（ｇ）に示す波形の整流出力が出力される。このような整流されたＤＣ波形がリモコンマイコン１１の入力ポートに入力され、リモコンマイコン１１は内部のＡＤ（アナログ／デジタル）変換器でこれらのＤＣ波形をデジタル化し、この２つのＤＣ波形の発生した時間差から２つのトーン信号の到達時間差を計測し、レベル差を演算処理して２つのトーン信号の音量差を算出する。尚、音波検出器６に入力されるトーン信号の再生音以外の雑音やノイズの影響等を除去するために、ＤＣ整流器１０ａ及び１０ｂの出力がある閾値を超えたときに、トーン信号が入力されたと判断するようにしている。
【００４５】
そして、測定が終了すると、測定された２つのトーン信号の到達時間差と音量差に応じた音場設定リモコンコードがリモコン４から音場再生機器１に送信される。そして、時間Ｔ３に、この音場設定リモコンコードを受信した音場再生機器１は、本体マイコン１８が信号処理部１９を制御してトーン信号の発生を停止するとともに、スピーカ（Ｌ−ｃｈ）２６に供給される再生信号を３ｍＳだけ遅延させる。また、音量音質調整部２２を制御してスピーカ（Ｒ−ｃｈ）３０に供給される再生信号の音量レベルをアップして左右の音量バランスを調整する。このようにすることにより、距離Ｌ１とＬ２との差に応じて片寄っていた音場分布が修正され、リスナー５に本来の音場位置を定位させることができる。尚、本体マイコン１８が、音量音質調整部２２を制御して、スピーカ（Ｌ−ｃｈ）２６に供給される再生信号の音量レベルをダウンして左右の音量バランスを調整しても良いし、スピーカ（Ｒ−ｃｈ）３０に供給される再生信号の音量レベルをアップするとともにスピーカ（Ｌ−ｃｈ）２６に供給される再生信号の音量レベルをダウンして左右の音量バランスを調整しても良い。
【００４６】
以上、説明したように、リスナー５が視聴位置でリモコン４の音場設定キー１２を押すだけで、リモコン４の位置（リスナー５の位置）と各スピーカとの距離の差を補正するように音場再生装置からの再生音のディレイ及び音量バランス調整が適切に行われる。即ち、リスナー５が視聴位置を変えた場合においても、リスナー５はリモコン４の音場設定キー１２を押すだけで、新しい視聴位置に対応した正しい音像位置の再生音を聴くことができる。また、スピーカの数が増えても、トーン信号を検出する音波検出器６はリモコン４に１つだけで良いので、音場再生装置の構成を簡素化できる。
【００４７】
【発明の効果】
以上のように、本発明によると、複数のスピーカと、該複数のスピーカに供給される再生信号を処理する信号処理手段と前記再生信号の音量を調整する音量調整手段を有する音場再生機器と、該音場再生機器をリモコン制御するリモコンを備えた音場再生装置において、前記リモコンに、該リモコンの音場設定操作に応じて前記複数のスピーカから発せられた所定の各再生音が該リモコンへ到達する到達時間差と前記所定の各再生音が該リモコンへ到達したときの音量差を測定する測定手段と、該測定手段により測定された到達時間差と音量差に基づく音場設定値コードを前記音場再生機器へ送信する送信手段を設け、前記音場再生機器に、前記リモコンから送信される音場設定値コードを受信する受信手段と、前記複数のスピーカに供給される各再生信号が前記受信手段で受信した音場設定値コードに基づいてそれぞれ遅延されるように前記信号処理手段を制御するとともに前記各再生信号の音量が前記音場設定値コードに基づいてそれぞれ調整されるように前記音量調整手段を制御する本体制御手段を設けたので、簡単な構成でありながら、視聴者の視聴位置に対応して音場効果を適切に改善する音場設定が前記リモコンの簡単な操作により行うことが可能となる。
【図面の簡単な説明】
【図１】は、本発明の実施形態の音場再生装置全体の概要を示す斜視図である。
【図２】は、図１に示す音場再生装置とリスナーとの位置関係を示す概略図である。
【図３】は、図１に示す音場再生装置のリモコンの内部構成を示すブロック図である。
【図４】は、図１に示す音場再生装置の音場再生機器１の内部構成を示すブロック図である。
【図５】は、図１に示す音場再生装置の各部の信号波形を示す波形図である。
【図６】は、図１に示す音場再生装置のリモコンの音場設定時の動作を示すフローチャートである。
【図７】は、図１に示す音場再生装置の音場再生機器の音場設定時の動作を示すフローチャートである。
【図８】は、従来の音場再生装置におけるディレイタイム設定手順を示すフローチャートである。
【符号の説明】
１    音場再生機器
２    Ｌ−ｃｈスピ−カボックス
３    Ｒ−ｃｈスピ−カボックス
４    リモコン
５    リスナー
６    音波検出器
７    検出信号増幅器
８    １ＫＨｚバンドパスフィルタ（分離回路）
９    ２ＫＨｚバンドパスフィルタ（分離回路）
１０ａ、１０ｂ    ＤＣ整流器（整流回路）
１１    リモコンマイコン（リモコン制御部）
１２    音場設定キー
１２ａ    その他の操作キー
１３    ＬＥＤドライバー（送信手段）
１４    赤外線ＬＥＤ（送信手段）
１５    リモコン受光子（受信手段）
１６    本体操作キー
１７    表示部
１８    本体マイコン（本体制御手段）
１９    信号処理部（信号処理手段）
２０    外部記憶部
２１    Ｄ／Ａ変換器
２２    音量音質調整部（音量調整手段）
２３    プリアンプ部（Ｌ−ｃｈ）
２４    パワーアンプ部（Ｌ−ｃｈ）
２５    スピーカ接続端子部（Ｌ−ｃｈ）
２６    スピーカ（Ｌ−ｃｈ）
２７    プリアンプ部（Ｒ−ｃｈ）
２８    パワーアンプ部（Ｒ−ｃｈ）
２９    スピーカ接続端子部（Ｒ−ｃｈ）
３０    スピーカ（Ｒ−ｃｈ）
【図１】
2004356958.tif 000003
【図２】
2004356958.tif 000004
【図３】
2004356958.tif 000005
【図４】
2004356958.tif 000006
【図５】
2004356958.tif 000007
【図６】
2004356958.tif 000008
【図７】
2004356958.tif 000009
【図８】
2004356958.tif 000010